(57)【要約】【課題】圧力損失の増大を低減しつつ、吹出し温度の均一性を向上できる車両用空調装置を提供する。【解決手段】車両用空調装置１は、ブロア７と、冷却用熱交換器３と、加熱用熱交換器４とを備え、これらが一括して、車両の車幅方向の中央部に組み付けられる。車両用空調装置１は、加熱用熱交換器４の車両上方に設けられる突部６を備える。突部６は、加熱用熱交換器４よりも車両前方に配置される冷却用熱交換器３を経て流れる空気（迂回風８３）を受ける受風面６０を備える。受風面６０は、突部６における車幅方向の中央部の上端部Ｔと車幅方向の各側端部ＬＳ，ＲＳとが中央部の下端部Ｃよりも車両後方に位置する傾斜面６０を含む。迂回風８３は突部６に当たると、傾斜面に沿って車幅方向の中央部から各側端部ＬＳ，ＲＳに向かって均一的に流れ易く、ひいては吹出し温度を均一的にし易い。突部６に当たっても流速が低下され難い。【選択図】図１
2019006328.tif 000002
【特許請求の範囲】
【請求項１】
ブロアと、冷却用熱交換器と、加熱用熱交換器とを備え、これらが一括して、車両の車幅方向の中央部に組み付けられる車両用空調装置であって、
前記加熱用熱交換器の車両上方に設けられる突部を備え、
前記突部は、前記加熱用熱交換器よりも車両前方に配置される前記冷却用熱交換器を経て流れる空気を受ける受風面を備え、
前記受風面は、前記突部における車幅方向の中央部の上端部と前記車幅方向の各側端部とが前記中央部の下端部よりも車両後方に位置する傾斜面を含む車両用空調装置。
【発明の詳細な説明】
【技術分野】
【０００１】
本発明は、車室の温度調整に利用される車両用空調装置に関する。
【背景技術】
【０００２】
昨今、省スペース化の要望などからセンターＨＶＡＣ（Ｈｅａｔｉｎｇ，Ｖｅｎｔｉｌａｔｉｏｎ，ａｎｄ  Ａｉｒ  Ｃｏｎｄｉｔｉｏｎｉｎｇ）と呼ばれる車両用空調装置が提案されている。センターＨＶＡＣは、特許文献１に記載されるように、ブロアと、エバポレータと、ヒータコアとを一つのユニットケースに収納した装置である。ユニットケースは、車両前方のインストルメントパネルの下方であって、車幅方向の中央位置に組み付けられる。
【０００３】
特許文献１は、ヒータコア３１からの温風が流れる空気流路の下流にリブ３８を設けて、上記温風と、エバポレータ２１を経た冷風とのミックス性を高めることを開示する。上記リブ３８は、上方に向かって傾斜しており、上記空気流路を形成するユニットケースＣの前面壁Ｃｆから内方に突出して設けられ、上記冷風が流れるバイパス通路３２に上記温風を強制的に押し込む。
【先行技術文献】
【特許文献】
【０００４】
【特許文献１】特開２００１−１１３９３１号公報
【発明の概要】
【発明が解決しようとする課題】
【０００５】
センターＨＶＡＣに対して、圧力損失の増大を低減しつつ、吹出し温度の均一性を向上することが望まれている。
【０００６】
上述のように冷風と温風とのミックス性を高めることで、車室に複数の吹出し口が車幅方向に並んで設けられている場合に、各吹出し口から吹出される空調風の温度を均一的にし易い。しかし、特許文献１に記載されるように、ヒータコアからの温風が流れる空気流路の下流にリブを単に設けると、圧力損失が大きくなり、所定の風量が得られないという問題がある。
【０００７】
そこで、本発明の目的の一つは、圧力損失の増大を低減しつつ、吹出し温度の均一性を向上できる車両用空調装置を提供することにある。
【課題を解決するための手段】
【０００８】
本発明の一態様に係る車両用空調装置は、
ブロアと、冷却用熱交換器と、加熱用熱交換器とを備え、これらが一括して、車両の車幅方向の中央部に組み付けられる車両用空調装置であって、
前記加熱用熱交換器の車両上方に設けられる突部を備え、
前記突部は、前記加熱用熱交換器よりも車両前方に配置される前記冷却用熱交換器を経て流れる空気を受ける受風面を備え、
前記受風面は、前記突部における車幅方向の中央部の上端部と前記車幅方向の各側端部とが前記中央部の下端部よりも車両後方に位置する傾斜面を含む。
【発明の効果】
【０００９】
上記の車両用空調装置は、特定の形状の受風面を有する突部を加熱用熱交換器の上方に備えることで、以下に説明するように圧力損失の増大を低減しつつ、吹出し温度の均一性を向上できる。
【００１０】
加熱用熱交換器からの温風の流れは、加熱用熱交換器の上方を突部の設置箇所とするため、突部によって阻害され難い。冷却用熱交換器を経て流れる空気は、突部の受風面、特に車幅方向の中央部の下端部に当たると、傾斜面に沿って、中央部の上端部及び車幅方向の左右の側端部に向かってそれぞれ流れつつ、車両前方から車両後方に向かって流れることができ、突部に当たっても流速が低下され難い。このように特定の突部を特定の位置に備えることで、圧損の増大を低減して、所定の風量を確保し易い。
【００１１】
冷却用熱交換器を経て流れる空気は、上述のように突部に当たると、傾斜面に沿って左の側端部と右の側端部とのそれぞれに向かって均一的に流れ易い。各側端部に向かって流れる空気は、上述のように所定の風量が確保されるため温風と良好に混合でき、適切な温度の空調風を形成できる。即ち、上記の混合を車幅方向に均一的に行い易い。そのため、車室に複数の吹出し口が車幅方向に並んで設けられている場合でも、各吹出し口からの空調風の温度差を低減でき、吹出し温度の均一性を高められる。
【図面の簡単な説明】
【００１２】
【図１】実施形態１の車両用空調装置を示す概略構成図であり、ドア部の開度が０％の状態を示す。
【図２】実施形態１の車両用空調装置を示す概略構成図であり、ドア部の開度が３０％の状態を示す。
【図３】実施形態１の車両用空調装置において、（Ａ）は図１に示す（ａ）−（ａ）線から見た状態を模式的に示す平面図であり、（Ｂ）は突部を模式的に示す斜視図である。
【発明を実施するための形態】
【００１３】
以下、図面を参照して、本発明の車両用空調装置を具体的に説明する。図面において、同一符号は同一名称物を示す。
【００１４】
［実施形態１］
（全体構成）
図１〜図３を参照して、実施形態１の車両用空調装置１を説明する。図３（Ａ）は、図１に示す（ａ）−（ａ）線から車両用空調装置１を平面視した図であり、冷却用熱交換器３及びドア部５を透視して示す。各図における車両前方をＦＲ、車両後方をＲＲ、車両右方をＲ、車両左方をＬ、車両上方をＵＰ、車両下方をＬＷとし、矢印で示す。図１，図２において、円の中心に黒点を付したマークは紙面手前側、円内にＸ印を付したマークは紙面奥側を意味する。図１，図２では、紙面手前側が車両左方Ｌである。
【００１５】
実施形態１の車両用空調装置１は、ブロア７と、冷却用熱交換器３と、加熱用熱交換器４とを備え、これらが一括して、車両の車幅方向の中央部に組み付けられるものであり、いわゆるセンターＨＶＡＣである。代表的には、更に、空調風８の温度調整に用いられるドア部５、ブロア７・熱交換器３，４・ドア部５を一括して収納するケース２を備え、これらが一体のユニットとして、車両のインストルメントパネル（図示せず）などに取り付けられる。このような車両用空調装置１は、ブロア７によってケース２内に外気又は内気（車室からの空気）を導入し、ドア部５の開度に応じて冷却用熱交換器３や加熱用熱交換器４を通過させて、適宜、熱交換器３，４を経た空気（後述の迂回風８３、温風８４）を混合させて（図２）、所定の温度に調節した空調風８を車室の各所に供給する。
【００１６】
実施形態１の車両用空調装置１は、更に、加熱用熱交換器４の車両上方に設けられる突部６を備える。突部６は、冷却用熱交換器３を経て流れる空気を受ける受風面６０を備える。受風面６０は、図３に示すように、突部６における車幅方向の中央部の上端部Ｔと車幅方向の各側端部ＬＳ，ＲＳとが中央部の下端部Ｃよりも車両後方に位置する傾斜面を含む。この例では、突部６は、図３（Ｂ）に示すように三角錘状であり、傾斜面は、中央部の下端部Ｃから上端部Ｔに向かって連続的に先細ると共に、中央部の下端部Ｃから各側端部ＬＳ，ＲＳに向かって連続的に先細る形状である。そのため、この例の受風面６０は、中央部の下端部Ｃから、上端部Ｔ、及び各側端部ＬＳ，ＲＳに向かうに従って車両後方に延びる面で形成される。以下、車両用空調装置１の各要素を簡単に説明し、その後に突部６を詳細に説明する。
【００１７】
（ケース）
ケース２は、代表的には、図１に示すように、車両前方かつ車両上方にブロア７、ブロア７の下方に冷却用熱交換器３、冷却用熱交換器３よりも車両後方に加熱用熱交換器４を収納する。この例のケース２は、更に突部６も収納する。ケース２は、これら収納部材を用いて、上述のように外気又は内気を所定の温度の空調風８にすると共に、これらの流路を形成する。流路は、車両前方かつ車両上方から、車両下方に向かいつつ車両後方に向かい、再度、車両上方に向かうようにＵ字状に設けられる。車両後方かつ車両上方に位置する下流側流路には、加熱用熱交換器４を迂回して冷却用熱交換器３のみを経た空気（以下、迂回風８３と呼ぶことがある）と、冷却用熱交換器３を経て更に加熱用熱交換器４を経た空気（温風８４、図２）とが合流して混合されるエアミックス領域２Ｍ（図１，図２では二点鎖線で示す）を備える。
【００１８】
ケース２は、空調風８を車室の各所に導くための複数の開口部を備える。代表的には、ケース２の車両後方であって、車両上方に設けられるフェイス側の開口部２１、デフロスター（図示せず）に繋がる開口部２５、車両下方に設けられるフット側の開口部２３が挙げられる。
【００１９】
フェイス側の開口部２１には、フェイスダクト（図示せず）が接続され、フット側の開口部２３には、フットダクト（図示せず）が接続される。各ダクトは、車室に向かって開口し、空調風８を吹出す吹出し口を備える。代表的には、車幅方向に離間して複数の吹出し口を備える。フェイスダクトの各吹出し口は、車室の上側（運転席や助手席の乗員の上半身）に向かって空調風８を吹出す。フットダクトの各吹出し口は、車室の足元付近に配置される。
【００２０】
その他、図１では、ケース２は、フェイス側の開口部２１とデフロスター側の開口部２５とを切り替える切替ドア２０、車両上方の開口部２１，２５と車両下方の開口部２３とを切り替える切替ドア２２を備える場合を例示する。
【００２１】
（冷却用熱交換器）
冷却用熱交換器３は、外気又は内気を冷却する部材である。本例の冷却用熱交換器３は、冷媒が循環されるエバポレータである。エバポレータを備える熱交換システムには公知の構成を利用できる。エバポレータ内に冷媒を循環させておけば、外気又は内気はエバポレータを通過する際に冷却されて、冷風を形成できる。エバポレータ内の冷媒の循環を停止しておけば、外気又は内気は冷却されることなく、単にエバポレータを通過する。
【００２２】
（加熱用熱交換器）
加熱用熱交換器４は、冷却用熱交換器３を通過した空気を加熱する部材である。本例の加熱用熱交換器４は、車両のエンジンを冷却する冷媒が循環されるヒータコアである。ヒータコアを備える熱交換システムには公知の構成を利用できる。エンジンの熱によって高温になった冷媒をヒータコア内に循環させておけば、上記空気はヒータコアを通過する際に加熱されて、温風を形成できる。その他の加熱用熱交換器４として、電熱線ヒータを備えるものが挙げられる。
【００２３】
（ドア部）
この例のドア部５は、冷却用熱交換器３と加熱用熱交換器４との間にスライド自在に設けられる。ドア部５の開度（スライド位置）を変更することで、エアミックス領域２Ｍに流入される冷却用熱交換器３を経た空気（迂回風８３）と、加熱用熱交換器４からの温風８４との混合比を調整する。スライド機構は、ラックとピニオンとの噛合機構といった公知の構成を利用できる。
【００２４】
図１は、ドア部５の開度が０％である場合を示す。この場合、ドア部５は、冷却用熱交換器３を経た空気が加熱用熱交換器４に流れることを阻止するように配置される。この状態は、いわば完全冷房状態であり、ケース２に導入された外気又は内気は、加熱用熱交換器４を実質的に通過せず、冷却用熱交換器３のみを通過して冷却され、冷風（空調風８の一例）として下流側流路を流れ、車室に供給される。
【００２５】
ドア部５の開度が１００％である場合、ドア部５は、冷却用熱交換器３を経た空気が加熱用熱交換器４を通過するように配置される。この状態は、いわば完全暖房状態であり、冷却用熱交換器３の冷媒循環が停止され、単に冷却用熱交換器３を経た外気又は内気は加熱用熱交換器４を通過して加熱され、温風（空調風８の一例）として下流側流路を流れ、車室に供給される。
【００２６】
ドア部５の開度が０％超１００％未満である場合（図２では開度が３０％の場合を示す）、冷却用熱交換器３を経た迂回風８３と加熱用熱交換器４を経た温風８４との双方がエアミックス領域２Ｍで合流して混合され、中間温度風（空調風８の一例）として、車室に供給される。
【００２７】
（突部）
《概要》
突部６は、加熱用熱交換器４の上方に設けられて導風部材として機能すると共に、エアミックス領域２Ｍでの混合性を高めることに寄与する。詳しくは、突部６は、迂回風８３を車両前方及び車両下方から車両後方及び車両上方に向かわせつつ、車幅方向の中央部から左右の側端部側に向かうように導く受風面６０を備える。受風面６０は、図３に示すように、中央部の下端部Ｃに対して、中央部の上端部Ｔ、左の側端部ＬＳ、右の側端部ＲＳのいずれもが車両後方に位置するように形成された傾斜面を含む。この例の受風面６０は実質的に上記傾斜面からなる。
【００２８】
《主な機能、作用》
ここで、上述のようにダクトが車幅方向に並ぶ複数の吹出し口を備える場合、これらの吹出し口に対応して、フェイス側の開口部２１やフット側の開口部２３における車幅方向に沿った長さもある程度長くすることがある。このような長穴の開口部２１，２３から吹出す空調風８の温度は、車幅方向に均一的であることが望まれる。突部６を備える場合、上述の傾斜面は車両前方の中央部の下端部Ｃから車両後方の各側端部ＬＳ，ＲＳに向かって傾斜するため、突部６の中央部の下端部Ｃに当たった迂回風８３を、各側端部ＬＳ，ＲＳに向かって分配して流すことができる。この傾斜面に沿って流れることで、突部６に当たった後の迂回風８３の流速は低下し難い。そのため、各側端部ＬＳ，ＲＳに向かう空気を勢いよく流せることから、例えば、完全冷房の場合には、冷却用熱交換器３からの冷風を開口部２１，２３の車幅方向に均一的に流すことができる上に、所定の風量を確保できる。また、上述のダクトの各吹出し口から吹出す冷風の温度は、ばらつきが少なく、均一的な温度になり易い。又は、例えば、中間温度風を望む場合には、迂回風８３は、温風８４とエアミックス領域２Ｍで合流すると、上述の勢いを利用して混合され易く、適切な温度となった中間温度風を開口部２１，２３の車幅方向に均一的に流すことができる上に、所定の風量を確保し易い。突部６の配置箇所である加熱用熱交換器４の上方領域は、温風８４がエアミックス領域２Ｍに向かって流れることを阻害し難い箇所といえる。そのため、突部６は、温風８４の流速も低下させ難く、このことからも上述の混合を良好に行える。その結果、上述のダクトの各吹出し口から吹出す中間温度風の温度は、ばらつきが少なく、均一的な温度になり易い。このように突部６は、上記の流速低下などによる圧力損失の増大を低減しつつ、吹出し温度の均一性の向上に寄与する。また、突部６は、迂回風８３と温風８４との混合性の向上にも寄与する。
【００２９】
《形状》
突部６の具体的な形状として、この例のように三角錘状の中実体が挙げられる。図３では、突部６をなす各面、具体的には車両下方に配置され、加熱用熱交換器４への設置面となる下面Ｃ−ＬＳ−ＲＳ、車両前方に配置される二つの前側面Ｔ−Ｃ−ＬＳ，Ｔ−Ｃ−ＲＳ、車両後方に配置される後側面Ｔ−ＬＳ−ＲＳが平面である場合を例示する。また、図３では、後側面Ｔ−ＬＳ−ＲＳが車両上下方向に平行な平面である場合を例示する。この場合、突部６の後側面Ｔ−ＬＳ−ＲＳとケース２における車両後方側の壁面とで挟まれる領域は、図３（Ａ）に示すように平面視長方形状といった単純な形状になり易い。この領域は、温風８４（図１，図２）の流路をなす領域であり、温風８４の流れを阻害し難い形状といえる。このように突部６は、温風８４の流れをより阻害し難く、所定の風量を確保して、混合性を高め易い。
【００３０】
《大きさ》
突部６における加熱用熱交換器４からの突出高さｈは、迂回風８３や温風８４が車両上方に向かって流れることを阻害せず、圧損が過大にならない範囲で適宜選択できる。例えば、突出高さｈは、ドア部５の開度が５０％以下のときに、冷却用熱交換器３を経て流れる空気（迂回風８３）に当たる大きさであることが挙げられる。この基準条件を満たす突出高さｈとは、図１に示す本例のように、突部６の上端部Ｔにおける車両上下方向の位置が、ドア部５の開度が５０％であるときのドア部５の上端縁の位置と実質的に等しいことが挙げられる。突出高さｈが上記基準条件を満たす効果を以下に説明する。
【００３１】
まず、ドア部５の開度が５０％超である場合を説明する。この場合とは、開度が１００％である完全暖房状態から、中間温度風のうち、温風８４の混合割合が比較的大きいことを望む場合といえる。この場合、温風８４の風量が比較的多く、温風８４の流速も比較的大きい傾向にあるといえる。そのため、この場合には、突部６が無くても温風８４の勢いを利用して、迂回風８３と温風８４とを混合したり、温風８４などが車幅方向の各側端部ＬＳ，ＲＳ側に流れたりし易く、開口部２１などから、その車幅方向に均一的な温度の空調風８を吹出せると期待される。
【００３２】
一方、ドア部５の開度が５０％以下である場合とは、開度が０％である完全冷房状態（図１）から、中間温度風のうち、温風８４の混合割合が比較的小さいことを望む場合といえる。この場合、温風８４の風量が少なく、温風８４の流速も比較的小さい傾向にあるといえる。この場合に突部６が無ければ、迂回風８３と温風８４とが不均一に混合される可能性がある。これに対して、突出高さｈが上述の基準条件を満たす突部６があれば、例えば、図２に示す開度が３０％である場合、突部６のうち、車両上方に配置される上端部Ｔを含む上方領域をドア部５から露出させて、迂回風８３をこの露出箇所に当てさせることができる。迂回風８３は、露出箇所に当たると、上述のように傾斜面に沿って車幅方向の左右に向かって均一的に分配されると共に、分配されても勢いよく流れることができる。この勢いを利用して、分配された迂回風８３と温風８４とを良好に混合できる上に、開口部２１などから、その車幅方向に均一的な温度の空調風８を吹出せる。開度が０％に近づくほど、迂回風８３の風量が多くなるものの、突部６における露出箇所も大きくなるため、迂回風８３を良好に分配でき、分配された迂回風８３の勢いも大きい。従って、開度が０％に近づくほど、温風８４の風量が少なくなるものの、迂回風８３との混合を良好に行えて、上述のように車幅方向に均一的な温度の空調風８を吹出せる。更に、突出高さｈをドア部５の開度が５０％超のときに迂回風８３が当たる大きさとすることができるが、突出高さｈが上記基準条件を満たせば、突部６が大き過ぎず、温風８４の流路を適切に確保して、突部６が温風８４の流れを阻害し難い。突出高さｈが上記基準条件を満たす場合、以上のような効果を奏する。
【００３３】
以下、車幅方向（図３（Ａ）では上下方向）に沿った大きさを幅、車両前後方向（図３（Ａ）では左右方向）に沿った大きさを厚さと呼ぶ。
突部６の最大幅、最大厚さは、突部６に当たる迂回風８３を車幅方向に適切に分配可能であり、迂回風８３の流速を過度に低下させない範囲で適宜選択できる。例えば、最大幅は、加熱用熱交換器４の幅と同等、又はそれ以上とすることができる。図３（Ａ）では、突部６の最大幅（ここでは、左の側端部ＬＳから右の側端部ＲＳ間の距離）が、加熱用熱交換器４の幅よりも大きい場合を例示する。突部６の最大幅は、例えば、フェイス側の開口部２１の幅やフット側の開口部２３の幅などに応じて調整すると、上述のダクトの各吹出し口から均一的な温度に調整された空調風８を吹出し易い。また、突部６の最大幅は、冷却用熱交換器３の幅に対応した大きさであると、迂回風８３が突部６に過不足無く当たり易く好ましい。最大厚さは、例えば、加熱用熱交換器４の厚さと同等、又はそれ以下、又はそれ以上とすることができる。図３（Ａ）では、突部６の最大厚さ（ここでは、下端部Ｃと上端部Ｔ間の距離）が、加熱用熱交換器４の厚さよりも若干大きい場合を例示する。
【００３４】
《配置》
突部６は、加熱用熱交換器４の上方に配置する。特に、中央部の下端部Ｃと上端部Ｔとを繋ぐ稜線がフェイス側の開口部２１及びフット側の開口部２３の少なくとも一方について、幅方向の中央部に位置するように突部６を配置すると、開口部２１などから、車幅方向に均一的な温度の空調風８を吹出し易い。ひいては上述のダクトの各吹出し口から均一的な温度の空調風８を吹出し易い。その他、例えば、突部６の上記稜線が冷却用熱交換器３の幅方向の中央部に位置すると、迂回風８３を均一的に分配し易い。
【００３５】
《材料》
突部６は加熱用熱交換器４に近接配置されるため、耐熱性に優れる材料からなることが好ましい。また、突部６は接触する迂回風８３の温度を変化させ難いように、熱をある程度伝え難い材料からなることも好ましい。具体的な材料として、各種の樹脂が挙げられる。タルクやガラス繊維などの耐熱性材料を含む樹脂であると、耐熱性、熱絶縁性により優れる。
【００３６】
この例の突部６は、ケース２とは独立した部材である。この場合、上述の樹脂などの材料を用いて、所定の形状、大きさの突部６に容易に成形できる。このような突部６は、ボルト及びナットなど適宜な部材を用いて、加熱用熱交換器４などに固定するとよい。
【００３７】
（その他）
車両には、空調装置１の制御を行う制御部（図示せず）と、乗員が所望の空調状態となるように制御部に指令を出すダイヤルやツマミなどの操作部（図示せず）とを備える。制御部は、上述した冷媒の循環の作動・停止・循環量の調整、ドア部５の開度の調整などを行う。その他、車両用空調装置１の基本構成や上述の制御部や操作部などは公知の構成を参照できる。
【００３８】
（主要な効果）
実施形態１の車両用空調装置１は、特定の形状の受風面６０を有する突部６を加熱用熱交換器４の上方に備えることで、上述の機能、作用によって、圧力損失の増大を低減しつつ、吹出し温度の均一性を向上できる。例えば、上述のフェイスダクトが運転席側寄りに二つ、助手席側に寄りに二つ、合計四つの吹出し口を車幅方向に離間して備える場合に、実施形態１の車両用空調装置１は、各吹出し口から均一的な温度の空調風８を供給することができる。
【００３９】
本例のように突部６の突出高さｈが上述の基準条件を満たすと、特に、ドア部５の開度が５０％以下であり、中間温度風を望む場合に、吹出し温度が均一的である上に、迂回風８３と温風８４とを良好に混合できるため、吹出し温度を乗員の所望の温度により確実にすることができる。そのため、車両用空調装置１は、より快適な環境を提供できると期待される。
【００４０】
また、本例のように突部６が三角錐状であり、受風面６０が中央部の下端部Ｃから上端部Ｔ、及び各側端部ＬＳ，ＲＳに向かって、連続して車両後方に延びる面からなるため、圧損を低減しつつ、迂回風８３の分配を良好に行える。更に、突部６が三角錐状であれば、突部６を屈曲させた板材などで形成する場合と比較して、温風８４の流れを阻害し難く、所定の風量を確保し易い。そのため、迂回風８３と温風８４との混合性も向上できる。その上、突部６が三角錐状であれば、設置面積を十分に確保できるため、突部６の設置状態の安定性にも優れる。
【００４１】
［変形例］
実施形態１の車両用空調装置１に対して、以下の少なくとも一つの変更が可能である。
（１）突部６を三角錐状の中実体であって、設置面、二つの前側面、及び後側面の少なくとも一つを湾曲面などとする。例えば、傾斜面は、中央部の下端部Ｃから、上端部Ｔ、及び各側端部ＬＳ，ＲＳに向かうに従って車両後方に延びており、中央部に稜線が無い湾曲面を含むことが挙げられる。
（２）突部６を三角錘状の中実体に代えて、山折りに折り曲げられた板材からなるものとする。但し、中央部の上端部Ｔと各側端部ＬＳ，ＲＳとが中央部の下端部Ｃよりも車両後方に位置するように下端縁Ｃ−ＬＳ，Ｃ−ＲＳを設ける。
（３）突部６をケース２と一体成形する。この場合、車両用空調装置１における組み付け部品点数を低減できる。
【符号の説明】
【００４２】
１  車両用空調装置
２  ケース、２０，２２  切替ドア、２１，２３，２５  開口部、
２Ｍ  エアミックス領域
３  冷却用熱交換器
４  加熱用熱交換器
５  ドア部
６  突部、６０  受風面
Ｔ  上端部  Ｃ  下端部  ＬＳ，ＲＳ  側端部
７  ブロア
８  空調風、８３  迂回風、８４  温風
【図１】
2019006328.tif 000003
【図２】
2019006328.tif 000004
【図３】
2019006328.tif 000005